(57)【要約】  【課題】  デジタルビデオカメラ等の動画記録装置において、ユーザが意図した動きの動画を記録する動画記録方法及び動画記録装置を提供する。  【解決手段】  動画記録装置１は、入力手段から更新頻度の設定を変更する入力を受け付け（ステップＳ１）、受け付けた入力に基づいて、撮像手段の撮像により生成される動画の更新頻度の設定を変更する（ステップＳ２）。そして変更した更新頻度の設定に基づき生成された動画データを揮発性記録手段に記録させ（ステップＳ３）、揮発性記録手段に記録させた動画データを読み出し（ステップＳ４）、記録媒体に記録する（ステップＳ５）。またステップＳ４及びＳ５の記録処理と並行して、揮発性記録手段に記録させた動画データを読み出し（ステップＳ６）、読み出した動画データに基づく動画を、表示手段に表示させる（ステップＳ７）。【選択図】      図３
2006060501.tif 000002
【特許請求の範囲】
【請求項１】
設定された更新頻度で画像を更新する動画を表示させる動画データを、撮像手段の撮像により生成し、生成した動画データを記録手段に記録する動画記録方法において、
記録手段に記録する動画データの更新頻度の設定を変更し、
記録手段への動画データの記録に並行して、変更した更新頻度の動画を表示手段に表示する
ことを特徴とする動画記録方法。
【請求項２】
設定された更新頻度で画像を更新する動画を表示させる動画データを、撮像手段の撮像により生成し、生成した動画データを記録手段に記録する動画記録装置において、
更新頻度の設定を変更する入力を受け付ける手段と、
変更した更新頻度の動画を表示させる動画データを記録手段に記録させる記録処理手段と、
該記録処理手段による記録と並行して、変更した更新頻度の動画を表示手段に表示させる表示処理手段と
を備えることを特徴とする動画記録装置。
【請求項３】
変更した更新頻度の動画を表示させる動画データを生成する手段と、
生成した動画データを一時的に記録する揮発性記録手段と
を備え、
前記記録処理手段は、揮発性記録手段に記録した動画データを読み出して記録手段に記録させるように構成してあり、
前記表示処理手段は、揮発性記録手段に記録した動画データを読み出して、該動画データに基づく動画を表示手段に表示させるように構成してある
ことを特徴とする請求項２に記載の動画記録装置。
【請求項４】
前記記録手段は、挿抜可能な記録媒体であることを特徴とする請求項２又は請求項３に記載の動画記録装置。
【請求項５】
前記動画データは、画像毎に圧縮された形式であることを特徴とする請求項２乃至請求項４のいずれかひとつに記載の動画記録装置。
【発明の詳細な説明】
【技術分野】
【０００１】
本発明は、動画を表示させる動画データを撮像により生成し、生成した動画データを記録する動画記録方法、及び該動画記録方法を適用した動画記録装置に関し、特に動画の更新頻度の変更に適用する動画記録方法及び動画記録装置に関する。
【背景技術】
【０００２】
デジタルビデオカメラ等の動画記録装置が普及している（例えば特許文献１参照）。動画記録装置では、撮像手段の撮像により、液晶ビューワ等の表示手段に動画を表示させる動画データを生成し、生成した動画データに基づく動画を表示手段に表示させると共に、生成した動画データをＳＤメモリカード(Secure Digital Memory Card)等の記録媒体に記録する処理を行う。動画記録装置において、動画データに基づいて表示される動画とは、表示手段に表示する画像（フレーム）を、設定されている更新頻度（フレームレート）で更新するものであり、例えば３０ＦＰＳ（Frame per Second）の更新頻度で画像を更新することにより、ユーザは動画が表示されていると認識する。そして更新頻度を高く設定することにより滑らかな動きを表現することができ、更新頻度を低く設定することにより動画データのデータサイズを小さくすることができる。
【特許文献１】特開平１１−２６１８８１号公報
【発明の開示】
【発明が解決しようとする課題】
【０００３】
しかしながら動画記録装置を操作するユーザが、撮像中に更新頻度の設定を変更する操作を行った場合、記録媒体に記録される動画データは、操作に基づき変更された更新頻度の動画データとなるが、表示手段に表示される動画に対しては、更新頻度の変更が反映されない。このため表示手段に表示されている動画と、記録された動画データに基づき再生される動画とは更新頻度が異なるという問題があり、従ってユーザが意図しない動きの動画を記録することも生じる。
【０００４】
本発明は斯かる事情に鑑みてなされたものであり、更新頻度の設定を変更する場合に、記録媒体に記録する動画データの更新頻度の設定を変更し、変更した更新頻度の動画を表示手段に表示することにより、ユーザが所望する動きの動画を記録することが可能な動画記録方法、及び該動画記録方法を適用した動画記録装置の提供を目的とする。
【課題を解決するための手段】
【０００５】
本発明に係る動画記録方法は、設定された更新頻度で画像を更新する動画を表示させる動画データを、撮像手段の撮像により生成し、生成した動画データを記録手段に記録する動画記録方法において、記録手段に記録する動画データの更新頻度の設定を変更し、記録手段への動画データの記録に並行して、変更した更新頻度の動画を表示手段に表示することを特徴とする。
【０００６】
本発明では、記録手段に記録する動画データの更新頻度と、表示手段に表示される動画の更新頻度とが一致するので、ユーザは、表示手段に表示される動画を視認することで、記録される動画データにて表示される動画の動きの滑らかさを把握することができるため、ユーザが所望する滑らかさの動きの動画を記録することが可能である。
【０００７】
本発明に係る動画記録装置は、設定された更新頻度で画像を更新する動画を表示させる動画データを、撮像手段の撮像により生成し、生成した動画データを記録手段に記録する動画記録装置において、更新頻度の設定を変更する入力を受け付ける手段と、変更した更新頻度の動画を表示させる動画データを記録手段に記録させる記録処理手段と、該記録処理手段による記録と並行して、変更した更新頻度の動画を表示手段に表示させる表示処理手段とを備えることを特徴とする。
【０００８】
本発明では、記録手段に記録する動画データの更新頻度と、表示手段に表示される動画の更新頻度とが一致するので、ユーザは、表示手段に表示される動画を視認することで、記録される動画データにて表示される動画の動きの滑らかさを把握することができるため、ユーザが所望する滑らかさの動きの動画を記録することが可能である。
【０００９】
本発明に係る動画記録装置は、変更した更新頻度の動画を表示させる動画データを生成する手段と、生成した動画データを一時的に記録する揮発性記録手段とを備え、前記記録処理手段は、揮発性記録手段に記録した動画データを読み出して記録手段に記録させるように構成してあり、前記表示処理手段は、揮発性記録手段に記録した動画データを読み出して、該動画データに基づく動画を表示手段に表示させるように構成してあることを特徴とする。
【００１０】
本発明では、ＳＤＲＡＭ等の揮発性記録手段に記録した動画データを、記録用の動画データ及び表示用の動画データとして共用することにより、記録手段に記録する動画データの更新頻度と、表示手段に表示される動画の更新頻度を容易に一致させることが可能である。
【００１１】
本発明に係る動画記録装置は、前記記録手段は、挿抜可能な記録媒体であることを特徴とする。
【００１２】
本発明では、ＳＤメモリカード等の記録媒体に動画データを記録することにより、所望する動きの動画データを保存することが可能である。
【００１３】
本発明に係る動画記録装置は、前記動画データは、画像毎に圧縮された形式であることを特徴とする。
【００１４】
本発明では、モーションＪＰＥＧ(Motion Joint Photographic Experts Group)等の画像毎に圧縮する形式で記録される動画データに対して適用することにより、ＭＰＥＧ(Moving Picture Experts Group) 等の時間軸方向にも圧縮する形式で記録した動画データに対して適用する場合と比較して、更新頻度の設定を容易に変更することが可能である。
【発明の効果】
【００１５】
本発明の動画記録方法及び動画記録装置では、設定された更新頻度で画像を更新する動画を表示させる動画データを生成し、生成した動画データを記録手段に記録するデジタルビデオカメラ等の動画記録装置にて、更新頻度の設定を変更する入力を受け付けた場合に、記録手段に記録する動画データの更新頻度の設定を変更し、変更した更新頻度の動画を表示手段に表示する。
【００１６】
この構成により、記録手段に記録する動画データの更新頻度と、表示手段に表示される動画の更新頻度とが一致するので、ユーザは、表示手段に表示される動画を視認することで、記録される動画データにて表示される動画の動きの滑らかさを把握することができるため、ユーザが所望する滑らかさの動きの動画を記録することが可能である等、優れた効果を奏する。
【発明を実施するための最良の形態】
【００１７】
以下、本発明をその実施の形態を示す図面に基づいて詳述する。
【００１８】
図１は、本発明の動画記録装置の構成を示すブロック図である。図１中１は、デジタルビデオカメラを用いた本発明の動画記録装置であり、動画記録装置１は、装置全体を制御するＣＰＵ等の制御手段１１と、制御手段１１により実行されるコンピュータプログラムを記録するＲＯＭ１２と、ＲＯＭ１２に記録されているコンピュータプログラムの実行時に一時的に発生するデータを記録するＲＡＭ１３とを備えている。なお制御手段１１、ＲＯＭ１２及びＲＡＭ１３は、一つのチップに搭載されたＬＳＩとして構成する様にしても良い。
【００１９】
また動画記録装置１は、ＣＣＤ(Charge Coupled Device) 等の撮像素子を用いた撮像手段１４を備え、撮像手段１４は、撮像により生成したアナログ画像信号を、Ａ／Ｄ変換手段１５へ出力し、Ａ／Ｄ変換手段１５は、撮像手段１４から受け付けたアナログ画像信号をデジタル画像信号に変換し、変換したデジタル画像信号を、データを一時的に記録するＳＤＲＡＭを用いた揮発性記録手段１６に記録させる。撮像手段１４の撮像は、１秒間に１５回、３０回等の頻度で行われる。このように撮像手段１４の撮像により生成された画像は、１５ＦＰＳ(Frame Per Second)、３０ＦＰＳ等の更新頻度（フレームレート）で出力することにより、動画として表示することができる。そして複数のデジタル画像信号に、更新頻度を示す情報を付加して纏めたデータは、撮像手段１４の撮像により生成した動画データとして取り扱われる。
【００２０】
揮発性記録手段１６に記録させた複数のデジタル画像信号に基づく動画データは、画像信号の圧縮／伸張処理を行う圧縮／伸張手段１７へ送られる。圧縮／伸張手段１７では、受け付けた動画データをモーションＪＰＥＧ等の形式に基づいて圧縮する。モーションＪＰＥＧとは、動画を構成する複数の画像（フレーム）を、画像毎に圧縮し、夫々の画像を表示する順序及び更新頻度を付与した圧縮動画データの形式の一つである。そして圧縮／伸張手段１７は、ＳＤメモリカード(Secure Digital Memory Card)等の記録媒体２にアクセスするＳＤメモリカードコントローラ等の補助記憶手段１８へ圧縮した動画データを送る。補助記憶手段１８では、受け付けた圧縮した動画データを記録媒体２に記録する。なお記録媒体２は、動画記録装置２に対して挿抜可能である。
【００２１】
また揮発性記録手段１６に記録させた動画データは、画像に関する制御を行うビデオコントローラ等の画像制御手段１９へ送られる。画像制御手段１９では、受け付けたデジタル画像信号を出力用の画像信号であるビデオ信号に変換し、変換したビデオ信号を、液晶ビューワ等の表示手段２０へ出力する。なお変換したビデオ信号を外部出力用端子から外部の装置へ出力する様にしても良い。表示手段２０では、入力を受け付けたビデオ信号に基づく画像を表示することができ、表示している画像を設定されている更新頻度で更新することにより、表示手段２０を視認するユーザは、設定されている更新頻度で更新される画像を動画として認識する。このように動画記録装置１では、撮像手段１４の撮像により生成された予め設定されている標準の更新頻度で画像が更新される動画を表示させる動画データを、記録媒体２に記録する処理と並行して、標準の更新頻度の動画を表示手段２０に表示させることができる。
【００２２】
なお動画記録装置１では、記録媒体２に記録した動画データを、補助記憶手段１８により読み出し、圧縮／伸張手段１７にて伸張し、揮発性記録手段１６に記録させた後、揮発性記録手段１６から画像制御手段１９へ送り、画像制御手段１９からビデオ信号として表示手段２０に出力させることも可能である。
【００２３】
さらに動画記録装置１は、スライドスイッチ、ダイアルスイッチ、押釦等の入力手段２１を備えており、入力手段２１を介してユーザが行う様々な入力操作を受け付けることが可能である。
【００２４】
次に本発明の動画記録装置１による処理について説明する。図２は、本発明の動画記録装置１の表示手段２０から表示される画像を示す説明図である。動画記録装置１が動画を記録中、ユーザの操作により更新頻度の変更を行うことが可能なモードに切り替わった場合に表示手段２０から図２に示す画像が表示される。図２では、ゴルフを行っている人物を撮像中にモードが切り替わった状態を示しており、撮像中の画像と共に画面の左方向に上下方向の両矢印が表示される。ユーザの操作により、両矢印中、スライドタイプのスイッチを模した画像が上下し、ユーザは、更新頻度を指定する入力を行うことができる。図２に示す例では、スイッチが下降する程、即ち「粗い」の方向へ行く程、更新頻度が低くなり、スイッチが上昇する程、即ち「滑らか」の方向へ行く程、更新頻度が高くなる。動画記録装置１０では、入力手段２１の操作量を検出し、検出した操作量を変更する更新頻度の値に変換し、変換した値を変更する更新頻度の設定の入力として受け付ける。予め準備されたメニューから更新頻度を選択するのではなく、図２に例示する様なインターフェースを用いることにより、ユーザは、所望する更新頻度を適宜設定することが可能である。
【００２５】
図３は、本発明の動画記録装置１の更新頻度変更処理を示すフローチャートである。動画記録装置１を操作するユーザは、動画記録装置１を用いての撮像中に、撮像により生成される動画データの更新頻度の設定を変更する操作入力を行うことにより、記録媒体２に記録する動画データの更新頻度を変更することができる。動画記録装置１は、制御手段１１の制御により、入力手段２１から更新頻度の設定を変更する入力を受け付け（ステップＳ１）、受け付けた入力に基づいて、撮像手段１４の撮像により生成される動画の更新頻度の設定を変更する（ステップＳ２）。ステップＳ２において、動画の更新頻度を変更する処理としては、撮像手段１４の撮像間隔の変更、Ａ／Ｄ変換手段１５から揮発性記録手段１６に記録させるデジタル画像信号の間引き等の処理により実現することができる。
【００２６】
そして動画記録装置１は、制御手段１１の制御により、変更した更新頻度の設定に基づき生成された動画データを揮発性記録手段１６に記録させ（ステップＳ３）、揮発性記録手段１６に記録させた動画データを読み出し（ステップＳ４）、圧縮／伸張手段１７により、画像毎に圧縮するモーションＪＰＥＧの形式で圧縮して記録媒体２に記録する（ステップＳ５）。また動画記録装置１は、制御手段１１の制御により、ステップＳ４及びＳ５の記録処理と並行して、揮発性記録手段１６に記録させた動画データを読み出し（ステップＳ６）、読み出した動画データに基づく動画を、画像制御手段１９の制御により、表示手段２０に表示させる（ステップＳ７）。このように記録媒体２に記録する動画データの更新頻度と、表示手段２０に表示する動画の更新頻度とは同じであるため、ユーザは、記録媒体２に記録する動画データにより表示される動画と同じ更新頻度の動画を、撮像しながら視認することができる。
【００２７】
前記実施の形態では、更新頻度の設定が変更された動画を表示手段に表示させる処理と並行して、更新頻度の設定が変更された動画データを記録媒体に記録する形態を示したが、例えば補助記憶手段に一時的な記録用のメモリを備えさせ、更新頻度の設定が変更された動画を表示手段に表示させる処理と並行して、一時的な記録用のメモリに更新頻度の設定が変更された動画データを記録した後、記録用のメモリに記録されている動画データを記録媒体に記録する様にしても良く、これにより記録媒体への記録時の遅延による問題の発生を回避することができる。さらに一時的な記録用メモリの代替メモリとして揮発性記録手段を用いることも可能である。
【図面の簡単な説明】
【００２８】
【図１】本発明の動画記録装置の構成を示すブロック図である。
【図２】本発明の動画記録装置の表示手段から表示される画像を示す説明図である。
【図３】本発明の動画記録装置の更新頻度変更処理を示すフローチャートである。
【符号の説明】
【００２９】
１  動画記録装置
１１  制御手段
１２  ＲＯＭ
１３  ＲＡＭ
１４  撮像手段
１５  Ａ／Ｄ変換手段
１６  揮発性記録手段
１７  圧縮／伸張手段
１８  補助記憶手段
１９  画像制御手段
２０  表示手段
２１  入力手段
２  記録媒体
【図１】
2006060501.tif 000003
【図２】
2006060501.tif 000004
【図３】
2006060501.tif 000005